(57)【特許請求の範囲】
【請求項１】
（ａ）下記一般式（１）で表される非イオン性化合物、（ｂ）下記（ｂ１）〜（ｂ５）から選ばれる消臭基剤、及び水を含有するしわ取り消臭剤組成物。
Ｒ−Ｏ−［（ＰＯ）m／（ＥＯ）n］−Ｈ      （１）
〔式中、Ｒは炭素数１０〜２０の炭化水素基であり、ＰＯはＣ3Ｈ6Ｏを示し、ＥＯはＣ2Ｈ4Ｏを示し、ｍ及びｎはそれぞれ平均付加モル数を示し、ｍは１０〜６０、ｎは１〜１０の数であり、ｍ及びｎの合計は２０〜７０である。（ＰＯ）と（ＥＯ）のモル比ｍ／ｎは３〜１２である。（ＰＯ）と（ＥＯ）はランダム付加でもブロック付加でもいずれでもよく、（ＰＯ）と（ＥＯ）の付加順序は問わない。〕
（ｂ１）ジヒドロジャスモン、シス−ジャスモン、ジャスモン酸メチル、ジヒドロジャスモン酸メチルから選ばれるジャスモン誘導体
（ｂ２）ツバキ科植物の抽出物
（ｂ３）ジメチルラウリルアミンオキシド
（ｂ４）下記一般式（IV）で表されるアミンオキシド
【化１】
0004813214.tif 000004
〔式中、Ｒ31は、炭素数８〜１８のアルキル基又はアルケニル基であり、Ｒ32、Ｒ33は、それぞれ炭素数１〜３のアルキル基又はヒドロキシアルキル基、Ｒ34は炭素数１〜５のアルキレン基である。Ｙは−ＣＯＮＲ35−、−ＮＲ35ＣＯ−、−ＣＯＯ−、−ＯＣＯ−から選ばれる連結基である。ここで、Ｒ35は水素原子又は炭素数１〜３のアルキル基である。〕
（ｂ５）リン酸２水素ナトリウム、リン酸２水素カリウム、リン酸水素２ナトリウム、リン酸水素２カリウム、クエン酸から選ばれるｐＨ変動抑制能を与える化合物
【請求項２】
液状である、請求項１に記載のしわ取り消臭剤組成物。
【請求項３】
請求項１又は２に記載のしわ取り消臭剤組成物を、噴霧により繊維製品に付着させ、対象物の臭い及びしわを低減させるしわ取り消臭方法。
【発明の詳細な説明】
【技術分野】
【０００１】
本発明は、しわ取り消臭剤組成物に関する。
【背景技術】
【０００２】
一般にスーツ等のドライクリーニング衣類は家庭での水洗いが困難であり、それらのしわ取り方法については、一般にアイロンがけやスチームプレス等の熱処理を行う方法がある。熱処理を行わずに衣類のしわを伸ばす手段として、特許文献１にヘキシレングリコールやイソプレングリコール等の特定の水溶性溶剤と水を組み合わせた組成物を衣類のしわ部にスプレーした後、放置するだけでしわ部を取り除く方法が開示されている。
【０００３】
また、特許文献２〜５には、布帛のしわ取り剤組成物及び方法が開示されている。これらの方法は、組成物を布帛にスプレー噴霧した後で吊り下げて自然乾燥するか、アイロン掛けを行うことでしわを除去している。特許文献６には、低付加モル数のポリアルキレンオキシドを有する化合物を含有するしわ除去剤組成物が開示されており、しわ除去剤に植物抽出物などの消臭剤を併用できることが開示されている。また、特許文献７には、有効成分を乳化させる目的から非イオン界面活性剤を用いる技術が開示されている。有効成分である親油性物質を含むＷＯ型エマルジョンを形成する目的から、しわ除去剤組成物に非イオン界面活性剤を用いることが開示されている。
【特許文献１】特開平１０−２５６６０号公報
【特許文献２】特表平１０−５０８９１１号公報
【特許文献３】国際公開第９９／５５９５２号パンフレット
【特許文献４】国際公開第９９／５５９５３号パンフレット
【特許文献５】特開平１−６１７４号公報
【特許文献６】特開平１０−０４６４７１号公報
【特許文献７】特開２００５−２３２６０７号公報
【発明の開示】
【発明が解決しようとする課題】
【０００４】
しかしながら、特許文献１の技術では、衣類についた軽いしわは取り除けるが、深いしわを完全に除去するのは困難である。また、特許文献２〜５は、自然乾燥だけでは十分にしわを除去することができず、またアイロン掛けはしわ取りには非常に効果的であるが、手間がかかる作業である上、風合い回復の上では不十分である。また、特許文献６、７についても、しわ除去効果と衣類の消臭効果の両方について同時に優れた効果を得るという点については、未だ十分ではない。
【０００５】
本発明は、アイロンがけやスチームプレス等の熱処理を行わなくても、風合いを損なうことなく繊維製品のしわを十分に除去することができ、且つ汗や皮脂臭などの臭いを除去することができる、しわ取り消臭剤組成物を提供することにある。
【課題を解決するための手段】
【０００６】
本発明は、（ａ）炭素数１０〜２２の炭化水素基と、オキシエチレン基及びオキシプロピレン基の平均付加モル数が合計で２０〜２００であるポリオキシアルキレン基とを有する非イオン性化合物〔以下、（ａ）成分という〕、並びに（ｂ）消臭基剤〔以下、（ｂ）成分という〕を含有するしわ取り消臭剤組成物に関する。
【発明の効果】
【０００７】
本発明によれば、アイロンがけやスチームプレス等の熱処理を行わなくても、風合いを損なうことなく、衣類等の繊維製品のしわを十分に除去することができ、且つ汗や皮脂臭などの臭いを除去することができる、しわ取り消臭剤組成物が提供される。
【発明を実施するための最良の形態】
【０００８】
＜（ａ）成分＞
（ａ）成分の炭素数１０〜２２の炭化水素基としては、炭素数１２〜１８のアルキル基又は炭素数１２〜１８のアルケニル基が好ましく、炭素数１６〜１８のアルキル基がさらに好ましい。
【０００９】
（ａ）成分としては、下記一般式（１）の化合物が好ましい。
Ｒ−Ｙ−［（ＰＯ）m／（ＥＯ）n］−Ｈ      （１）
〔式中、Ｒは炭素数１０〜２２の炭化水素基であり、ＰＯはＣ3Ｈ6Ｏを示し、ＥＯはＣ2Ｈ4Ｏを示し、ｍ及びｎはそれぞれ平均付加モル数を示し、ｍは３〜１００、ｎは１〜１０の数であり、ｍ及びｎの合計は２０〜１１０である。（ＰＯ）と（ＥＯ）はランダム付加でもブロック付加でもいずれでもよく、（ＰＯ）と（ＥＯ）の付加順序は問わない。Ｙは、−Ｏ−、−ＣＯＯ−、−ＣＯＮＨ−又は−ＮＨＣＯ−のいずれかである。〕
【００１０】
（ａ）成分の一般式（１）において、Ｒは炭素数１０〜２２の炭化水素基であり、好ましくは炭素数１２〜２０、より好ましくは１２〜１８のアルキル基又はアルケニル基であり、更に好ましくは、炭素数１６〜１８のアルキル基である。また、オキシプロピレン基（Ｃ3Ｈ6Ｏ基、以下、ＰＯと表記する場合もある）の平均付加モル数であるｍは３〜１００、好ましくは３〜６０、より好ましくは１０〜６０の数であり、オキシエチレン基（Ｃ2Ｈ4Ｏ基、以下、ＥＯと表記する場合もある）の平均付加モル数であるｎは１〜１０、好ましくは１〜９、より好ましくは１〜８の数であり、ｍ及びｎの合計は２０〜１１０、好ましくは２０〜９０、より好ましくは２０〜７０である。ＰＯとＥＯのモル比ｍ／ｎは好ましくは３〜１２、より好ましくは４〜１０である。Ｙは、より好ましくは−Ｏ−又は−ＣＯＯ−であり、更に好ましくは−Ｏ−であり、（ＰＯ）と（ＥＯ）は、ランダム付加でもブロック付加でもよく、（ＰＯ）と（ＥＯ）の付加順序は問わないが、好ましくはブロック付加であり、中でも下記一般式（２）で表される化合物がより好ましい。なお、ＰＯ、ＥＯの平均付加モル数はＮＭＲにより求めることができる。
Ｒ−Ｏ−（ＰＯ）m−（ＥＯ）n−Ｈ    （２）
【００１１】
（ａ）成分の含有量は、本発明のしわ取り消臭剤組成物中、０．０１〜１０質量％、更に０．０１〜５質量％、更に０．０１〜３質量％、特に０．０１〜２質量％が好ましい。
【００１２】
＜（ｂ）成分＞
（ｂ）成分の消臭基剤としては、臭気源をマスキング又は相殺することにより消臭するマスキング性（ないし相殺性）消臭基剤、臭気化合物を包接することにより消臭する包接性消臭基剤、又は臭気化合物を吸着することにより消臭する吸着性消臭基剤等が挙げられる。一般に、マスキングは、中和や二重結合による反応等の化学反応による方法と臭覚に刺激を与える方法により行われる。合成香料、天然香料等の香料成分は、これらのいずれかもしくは両方の方法で消臭効果を発現する。また、フラボノイド、亜鉛化合物等は、臭気化合物と反応することにより消臭効果を発現する（以下、このような消臭基剤を反応性消臭基剤という）。本発明の消臭基剤は、これらの方法により消臭効果を発現するものに限定されず、また複数の機能を持つものでもよい。例えば、香料としての植物精油等の天然由来の混合物には、臭覚に刺激を与えることによる消臭と臭気化合物との反応による消臭との両方の機能を兼ね備えるものがある。
【００１３】
香料成分は、メチルイオノン、サリチル酸ヘキシル、イオノン、ヘディオン、フェノキシエタノール、アンバーコア、セドリルメチルエーテル、シネオール、カンファー、ピネン、リモネン、リナロール、酢酸リナロール、ネロール、酢酸ネリル、カルバクロール、チモール、シトロネロール、シトラール、ゲラニオール、サンタロール、ボルネオール、カルボン、酢酸ベンジル、オイゲノール、セドレン、酢酸ボルニル、メントール、メントン、メチルチャビコール、サイメン、プレゴール、アネトール、ツヨン、ジヒドロジャスモン、シス−ジャスモン、ジャスモン酸メチル、ジヒドロジャスモン酸メチルから選ばれるジャスモン誘導体から選ばれる１種以上の香料成分を用いることが好ましい。これらの中でも特にジャスモン誘導体が消臭効果の点から好適である。香料成分を配合する場合は、本発明のしわ取り消臭剤組成物中に０．００１〜１質量％、特に０．００５〜０．５質量％配合するのが好ましい。
【００１４】
また、消臭効果を有する植物抽出物を用いることも好ましく、ツバキ科植物、しそ科植物、及び生姜科植物から選ばれる植物の抽出物が好適である。ツバキ科植物としては、茶、山茶花、ツバキ、サカキ、ヒサカキ、モッコクなどを挙げることができ、これらの生葉、その乾燥物、その加熱処理物などを用いることができる。これらの中でも茶の生葉、その乾燥物、あるいは蒸気若しくは焙煎等により加熱処理物されたものが好ましく、特に茶の生葉若しくはその乾燥物が入手の容易性、安全性などの観点から好ましい。
【００１５】
しそ科植物の抽出物としては、バジル全草の水蒸気蒸留物、ラバンジンの花の水蒸気蒸留物、ラベンダーの花の水蒸気蒸留物、マージョラムの乾燥葉の水蒸気蒸留物、ペパーミントの全草の水蒸気蒸留物、スペアミントの水蒸気蒸留物、ハッカの全草の水蒸気蒸留物、パチュリの葉の水蒸気蒸留物、ペニーロイヤルの全草の水蒸気蒸留物、ペリラの全草の水蒸気蒸留物、ローズマリーの花及び葉の水蒸気蒸留物、セージクラリーの全草、花穂の水蒸気蒸留物、セージの乾燥葉の水蒸気蒸留物、スパイクラベンダーの花の水蒸気蒸留物、タイムの全草の水蒸気蒸留物を挙げることができ、特にペパーミントの全草の水蒸気蒸留物、スペアミントの水蒸気蒸留物、ハッカの全草の水蒸気蒸留物から選ばれる１種以上が好適である。
【００１６】
また、生姜科植物の抽出物としてはカルダモンの乾燥果実の水蒸気蒸留物、ジンジャーの乾燥根茎の水蒸気蒸留物が好適である。
【００１７】
植物抽出物を使用する場合には、本発明のしわ取り消臭剤組成物中に０．００１〜１質量％、特に０．００５〜０．５質量％配合するのが好ましい。
【００１８】
反応性消臭基剤としては、フラボノイド、亜鉛化合物が挙げられる。フラボノイドは、カルコン、フラバノン、フラバノール、フラボン、フラボノール、イソフラボンまたはカテキンが有用である。フラボノイドを消臭基剤として用いる場合は、本発明のしわ取り消臭剤組成物中に好ましくは０．００１〜１質量％、特に好ましくは０．００５〜０．５質量％配合するのが、消臭効果の点で望ましい。亜鉛化合物としては、塩化亜鉛、亜鉛石けん等が挙げられる。亜鉛化合物を消臭基剤として用いる場合は、本発明のしわ取り消臭剤組成物中に０．００１〜２質量％、特に０．００５〜１質量％配合するのが好ましい。
【００１９】
本発明では、上記以外の反応性消臭基剤として、消臭基剤として炭素数８〜１８のアルキル基を少なくとも１つ有する、カチオン基を有する化合物を使用することも可能である。これらの化合物の中でも特に下記一般式(II)、(III)又は(IV)の化合物が好ましく、一般式(IV)のアミンオキシドが消臭効果の点で最も優れている。
【００２０】
【化１】
0004813214.tif 000002
【００２１】
〔式中、Ｒ11、Ｒ21、Ｒ31は、それぞれ炭素数８〜１８のアルキル基又はアルケニル基であり、Ｒ12、Ｒ13、Ｒ14、Ｒ22、Ｒ23、Ｒ32、Ｒ33は、それぞれ炭素数１〜３のアルキル基又はヒドロキシアルキル基、Ｒ34は炭素数１〜５のアルキレン基である。Ｙは−ＣＯＮＲ35−、−ＮＲ35ＣＯ−、−ＣＯＯ−、−ＯＣＯ−から選ばれる連結基である。ここで、Ｒ35は水素原子又は炭素数１〜３のアルキル基である。Ｘ-はハロゲン、炭素数１〜１４の脂肪酸、炭素数１〜３の低級アルコールの硫酸エステルに由来する陰イオン基を示す。〕
【００２２】
上記一般式(II)、(III)又は(IV)の化合物を消臭基剤として使用する場合は、消臭効果、持続性及び衣料の風合いの点から、本発明のしわ取り消臭剤組成物に０．１〜２質量％、特に０．２〜１．５質量％配合することが好ましい。
【００２３】
更に、反応性の消臭基剤の一つとして、臭気化合物であるアミンや硫化物を中和することにより揮発性を低減させ消臭するものが挙げられる。このような消臭基剤は、ｐＨがアルカリ側（ｐＨ１０以上）に変動するのを抑制する性能を有する成分であり、具体的には、乳酸、グルコン酸、コハク酸、グルタル酸、アジピン酸、リンゴ酸、酒石酸、マレイン酸、フマル酸、イタコン酸、クエン酸、フタル酸、酢酸、安息香酸、サリチル酸、ジエチルバルビツル酸等のカルボン酸、グリシン、アラニン、バリン、ロイシン、セリン、グルタミン酸、アスパラギン酸等のアミノ酸、リン酸、ホウ酸等の無機酸、あるいはこれら酸のアルカリ金属塩、アミン塩等が挙げられる。アルカリ金属塩としては、ナトリウム塩、カリウム塩等、アミン塩としては、トリエタノールアミン塩等が挙げられる。これらの中では、リン酸、クエン酸、コハク酸、マレイン酸、フマル酸又はこれらのアルカリ金属塩が好ましく、リン酸２水素ナトリウム、リン酸２水素カリウム、リン酸水素２ナトリウム、リン酸水素２カリウム、クエン酸が更に好ましい。
【００２４】
本発明のしわ取り消臭剤組成物に上記ｐＨ変動抑制能を与える化合物は、上記のｐＨ変動抑制能を満たすよう、本発明のしわ取り消臭剤組成物に０．０１〜３質量％、特に０．０５〜２質量％配合するのが好ましい。
【００２５】
また、本発明のしわ取り消臭剤組成物の２５℃におけるｐＨは６〜９．５、更に６．５〜９．５、特に６．８〜９が好ましく、上記ｐＨ変動抑制能を与える化合物は、ｐＨがこの範囲となるように種類、配合量等を調整することが望ましい。
【００２６】
包接性の消臭基剤としては、シクロデキストリン又はその誘導体等の包接化合物が挙げられる。包接化合物を消臭基剤として用いる場合は、本発明のしわ取り消臭剤組成物中に好ましくは０．０５〜５質量％、より好ましくは０．１〜３質量％含有される。また、吸着性の消臭基剤としては、タルク等が挙げられる。
【００２７】
本発明では、好ましくはマスキング性（ないし相殺性）消臭基剤及び／又は反応性消臭基剤を使用することであり、より好ましくは消臭基剤として上記消炭素数８〜１８のアルキル基を少なくとも１つ有する、カチオン基を有する化合物を使用するか、あるいは、本発明のしわ取り消臭剤組成物にｐＨ変動抑制能を与える化合物を配合することであり、最も好ましくは両者を併用することが消臭効果及び効果の持続性の点で好ましい。
【００２８】
＜しわ取り消臭剤組成物＞
（ａ）成分及び（ｂ）成分の効果を更に高めるうえで（ａ）成分及び（ｂ）成分の配合比率は、（ａ）／（ｂ）の質量比で、好ましくは１０／１〜１／１０、より好ましくは８／１〜１／８、更に好ましくは６／１〜１／６、特に好ましくは５／１〜１／５である。
【００２９】
本発明のしわ取り消臭剤組成物において、（ａ）成分、（ｂ）成分以外の残部は水とすることができる。また必要に応じて、本発明の効果を損なわない範囲で、更に、界面活性剤、多価アルコール、及び一般に添加される各種の溶剤、ゲル化剤、硫酸ナトリウムやＮ，Ｎ，Ｎ−トリメチルグリシン等の塩、ｐＨ調整剤、酸化防止剤、防腐剤、殺菌・抗菌剤、香料、色素、紫外線吸収剤等の他の成分を添加することができる。
【００３０】
界面活性剤としては、特に制限はなく、非イオン性界面活性剤、一般式(II)以外の陽イオン性界面活性剤、陰イオン性界面活性剤、及び一般式(III)又は(IV)以外の両性界面活性剤の中から選ばれる１種以上が挙げられる。これらの中では、非イオン性界面活性剤が好ましく、下記一般式（３）で表される化合物が、消臭性能及びしわ除去性能の点から、特に好ましい。
Ｒ1−Ｚ−［（ＥＯ）s／（ＰＯ）t］−Ｒ2        （３）
〔式（３）中、Ｒ1は、炭素数１０〜２２のアルキル基又はアルケニル基であり、Ｒ2は、水素原子、又は炭素数１〜３のアルキル基であり、Ｚは−Ｏ−又は−ＣＯＯ−のいずれかであり、ＥＯは、オキシエチレン基であり、ＰＯはオキシプロピレン基であり、（ＥＯ）と（ＰＯ）はランダム付加でもブロック付加でもいずれでもよく、（ＥＯ）と（ＰＯ）の付加順序は問わない。ｓ及びｔは平均付加モル数であり、ｓ＋ｔの合計は５〜１５の数であり、ｔは２以下の数である。〕
【００３１】
消臭性能向上の観点から、一般式（３）で表される化合物のＲ1は、好ましくは炭素数１０〜１８、より好ましくは炭素数１０〜１６、更に好ましくは炭素数１０〜１４のアルキル基又はアルケニル基であり、Ｒ2は、好ましくは水素原子、又は炭素数１〜２のアルキル基、より好ましくは水素原子又はメチル基、更に好ましくは水素原子である。
【００３２】
また、一般式（３）のｓは、好ましくは５〜１４の数、より好ましくは５〜１３、更に好ましくは５〜１２であり、ｔは好ましくは０である。一般式（３）で表される化合物としては、ポリオキシエチレン（ｎ＝６〜１２）ラウリルエーテル、ポリオキシエチレン（ｎ＝５〜１２）モノアルキル（炭素数１２〜１４の２級の炭化水素基）エーテル、ラウリン酸ポリオキシチレン（ｎ＝６〜１３）メチルエーテルから選ばれる１種以上が特に好ましい。ここで、ｎはオキシエチレン基の平均付加モル数である。
【００３３】
溶剤としては、水、エタノール、イソプロパノール等の低級（炭素数３〜４）アルコール類、エチレングリコール、プロピレングリコール、グリセリン、ソルビトール等の多価アルコール類（炭素数２〜１２）、エチレングリコールやプロピレングリコールのモノエチル又はモノブチルエーテル、ジエチレングリコールやジプロピレングリコールのモノエチル又はモノブチルエーテル、ベンジルアルコール、ベンジルオキシエタノール、フェノール性化合物のエチレンオキシド又はプロピレンオキシド付加物等が挙げられる。
【００３４】
本発明のしわ取り消臭剤組成物の使用形態は、液状、ゲル状、粉状、粒状等の固体状とすることができる。液状の場合には、特にスプレー、ローション等として繊維製品に用いることができる。本発明のしわ取り消臭剤組成物は、特に液状、更に水系組成物としてミストタイプのスプレー容器に充填し、一回の噴霧量を０．１〜１ｍｌに調整したものが好ましい。使用するスプレー容器としては、トリガースプレー容器（直圧あるいは蓄圧型）やディスペンサータイプのポンプスプレー容器等の公知のスプレー容器を用いることができる。すなわち、本発明では、本発明のしわ取り消臭剤組成物、特に液状のしわ取り消臭剤組成物をスプレー容器に充填してなるスプレー式しわ取り消臭剤を得ることができる。本発明の組成物は、噴霧により繊維製品に付着させて、対象物の臭い及びしわを低減させることが好ましく、前記スプレー式しわ取り消臭剤はこの方法に好適に用いられる。繊維製品としては、スーツ、セーター等の衣類、カーテン、ソファー等が挙げられる。
【実施例】
【００３５】
実施例１〜８及び比較例１〜２
＜しわ取り消臭剤組成物の調製＞
表１に示す配合処方のしわ取り消臭剤組成物を調製した。なお、非イオン性界面活性剤としてはポリオキシエチレン（平均付加モル数＝８）ラウリルエーテルを使用し、抗菌剤としてはプロキセルＢＤＮ（アビシア株式会社製、１０％水溶液）を使用し、得られた組成物は、１規定の塩酸又は１／１０規定の水酸化ナトリウム水溶液でｐＨ８（２５℃）に調整した。表１中の記号の成分は下記のとおりである。
【００３６】
（ａ）成分
・ａ−１：一般式（２）中のＲが炭素数１８の直鎖アルキル基、ｍが３８、ｎが６の数である化合物
・ａ−２：一般式（２）中のＲが炭素数１６の直鎖アルキル基、ｍが１５、ｎが３の数である化合物
・ａ−３：一般式（２）中のＲが炭素数１２の直鎖アルキル基、ｍが２５、ｎが５の数である化合物
・ａ−４：一般式（１）中のＲが炭素数１８の直鎖アルキル基、Ｙが−Ｏ−、ｍが３８、ｎが６の数であり、Ｒ−Ｙ−に（ＥＯ）と（ＰＯ）がこの順でブロック付加した化合物〔Ｒ−Ｙ−（ＥＯ）n−（ＰＯ）m−Ｈの化合物〕
・ａ−５：一般式（１）中のＲが炭素数１８の直鎖アルキル基、Ｙが−Ｏ−、ｍが３０、ｎが５の数であり、（ＰＯ）と（ＥＯ）がランダム付加である化合物
【００３７】
（ｂ）成分
・ｂ−１：アミドプロピルアミンオキシド（ラウリン酸とジメチルアミノプロピルアミンとのアミド化物を過酸化水素により反応させて得たもの）
・ｂ−２：ジメチルラウリルアミンオキシド（アンヒトール２０Ｎ、花王株式会社製）
・ｂ−３：緑茶乾留エキス（白井松新薬（株）製、フレッシュシライマツＦＳ−１０００）
・ｂ−４：メチルジヒドロジャスモン
・ｂ−５：りん酸２水素ナトリウム
・ｂ−６：β−シクロデキストリン
【００３８】
＜消臭効果の評価＞
（１）消臭対象物の調製
木綿メリアス布（１０ｃｍ×１０ｃｍ）に、臭気成分として、カプロン酸の１０ｐｐｍエタノール溶液をスプレーバイアル（株式会社マルエム、Ｎｏ．６）を用いて１回スプレーし、３０分間乾燥させた後、試験片とした。
【００３９】
（２）消臭方法
上記方法にて得た試験片に、表１に示す配合処方のしわ取り消臭剤組成物をスプレーバイアル（株式会社マルエム、Ｎｏ．６）を用いて６回スプレーし、１時間乾燥させた。
【００４０】
（３）消臭性能評価
３０歳代の男性５人及び女性５人の計１０人のパネラーに、試験片の臭いを嗅いでもらい、下記の６段階の臭気強度表示法で評価し、その平均値を求めた。
０：無臭
１：何の臭いか分からないが、ややかすかに何かを感じる強さ（検知閾値のレベル）
２：何の臭いか分かる、容易に感じる弱い臭い（認知閾値のレベル）
３：明らかに感じる臭い
４：強い臭い
５：耐えられないほど強い臭い
平均値０以上１未満を◎、平均値１以上１．５未満を□、平均値１．５以上２未満を○、平均値２以上３未満を△、平均値３以上５以下を×として評価した。評価は◎、□又は○が好ましい。結果を表１に示す。
【００４１】
＜しわ取り効果の評価＞
（１）しわつけ方法
ウール生地（ウールサージ、（株）谷頭商店）からなる試験布２０ｃｍ×１０ｃｍにイオン交換水をスプレー噴霧して湿潤させた後、試験布を２つ折りにして、４０℃に設定した恒温室内で折り目部分に２ｋｇの重りをのせ、２４時間放置することによって、これをしわ取り評価のモデルじわとした。
【００４２】
（２）しわ取り方法
上記方法にて作成したモデルじわのついた試験布に対し、表１に示すしわ取り消臭剤組成物をスプレー容器（キャニオン製、Ｔ−７５００）を用いて試験布乾燥時質量に対して５０質量％噴霧した後、２５℃／５０％ＲＨの恒温室に１２時間放置し、自然乾燥させた。乾燥終了後、試験布のしわの取れ具合を判定した。
【００４３】
（３）しわ取り性能評価
判定は、しわ取り消臭剤組成物をスプレー処理した布と、処理前の布（対照）とを、熟練した５人のパネラーに下記の基準で採点してもらい、平均点を求めた。平均点１以上１．５未満を◎、１．５以上２未満を□、２以上３未満を○、３以上４未満を△、４以上５以下を×とした。◎、□又は○が好ましい。
１：全くしわがない
２：ほとんどしわがない
３：僅かにしわが残っている
４：相当しわが残っている
５：著しくしわが残っている
【００４４】
【表１】
0004813214.tif 000003